(57)【要約】【課題】いわゆるブロック割れを生じた偽車両信号に対する誤計数を防止する。【解決手段】車両計数装置１は、走行方向の所定幅の探知領域に向けて斜め上方から周期的に電波信号を送信し、探知領域を走行中の車両からの反射信号を受信するレーダセンサ部１０と、受信した反射信号から物標の位置を計測する計測部２２と、計測した物標に対してグループ化処理を施して車両信号を特定する車両特定部２３と、前記特定された車両信号の走行を周期毎に追跡する追跡部２４と、前記探知領域内に設定された計数域を通過する車両信号を計数する車両計数部２５とを備える。車両計数部２５は、車両信号の最初の特定が前記探知領域内の走行方向下流側で行われた場合、当該車両信号の計数を禁止する。【選択図】図３
2019159648.tif 000002
【特許請求の範囲】
【請求項１】
走行方向の所定幅の探知領域に向けて斜め上方から周期的に電波信号を送信し、前記探知領域を走行中の車両からの反射信号を受信するレーダセンサ部と、
受信した前記反射信号から車両信号を特定する車両特定部と、
前記特定された車両信号の走行状態を周期毎に追跡する追跡部と、
前記探知領域内に設定された計数域にて前記車両信号の数を計数する計数部とを備え、
前記計数部は、前記計数域での計数対象の前記車両信号のうち、走行距離が前記探知領域に比して短いと判定された車両信号に対する計数を禁止する車両計数装置。
【請求項２】
前記レーダセンサ部は、前記探知領域に向けて前記走行方向の上流側の斜め上方から電波信号を送信するもので、
前記計数部は、前記車両信号の最初の特定が前記探知領域内の走行方向下流側で行われた場合、当該車両信号の計数を禁止する請求項１に記載の車両計数装置。
【請求項３】
前記追跡部は、周期毎に追跡した共通の車両信号に同一のラベルを付す請求項２に記載の車両計数装置。
【請求項４】
前記追跡部は、前記各車両信号に対し、最初に特定された際の初回特定位置に関する情報を対応して取得し、
前記計数部は、前記車両信号に対応して取得された前記初回特定位置が前記探知領域内の走行方向の下流側の場合に前記計数を禁止する請求項２又は３に記載の車両計数装置。
【請求項５】
前記追跡部は、前記各車両信号に対し、最初に付すラベルを前記探知領域内の走行方向の上流側と下流側とで区別可能な種類とし、
前記計数部は、前記車両信号に最初に付されたラベルの種類が前記下流側の場合に前記計数を禁止する請求項２又は３に記載の車両計数装置。
【請求項６】
前記追跡部は、周期毎に前記共通のラベルが付された各車両信号に対し、車両信号毎にラベリング回数を蓄積し、
前記計数部は、前記車両信号に対応した前記ラベリング回数が閾値以下の場合に計数を禁止する請求項２又は３に記載の車両計数装置。
【請求項７】
前記追跡部は、周期毎に連続して特定された車両信号同士の位置情報に基づいてマッチング処理を施す請求項１〜６のいずれかに記載の車両計数装置。
【請求項８】
走行方向の所定幅の探知領域に向けて斜め上方から周期的に電波信号を送信し、前記探知領域を走行中の車両からの反射信号を受信するレーダセンサ部から前記反射信号を取得して車両の計測を行う車両計数方法において、
受信した前記反射信号から車両信号を特定する車両特定ステップと、
前記特定された車両信号の走行状態を周期毎に追跡する追跡ステップと、
前記探知領域内に設定された計数域にて前記車両信号の数を計数する計数ステップとを備え、
前記計数ステップは、前記計数域での計数対象の前記車両信号のうち、走行距離が前記探知領域に比して短いと判定された車両信号に対する計数を禁止する車両計数方法。
【請求項９】
走行方向の所定幅の探知領域に向けて斜め上方から周期的に電波信号を送信し、前記探知領域を走行中の車両からの反射信号を受信するレーダセンサ部から前記反射信号を取得して、プロセッサにより車両の計測を行う車両計数プログラムにおいて、
受信した前記反射信号から車両信号を特定する車両特定ステップ、
前記特定された車両信号の走行状態を周期毎に追跡する追跡ステップ、及び
前記探知領域内に設定された計数域にて前記車両信号の数を計数する計数ステップ、を前記プロセッサに実行させ、
前記計数ステップは、前記計数域での計数対象の前記車両信号のうち、走行距離が前記探知領域に比して短いと判定された車両信号に対する計数を禁止する車両計数プログラム。
【発明の詳細な説明】
【技術分野】
【０００１】
本発明は、レーダセンサを用いて車両交通量等を監視する車両計数技術に関する。
【背景技術】
【０００２】
今日、一般道路や有料、高速道路は多くの車両に利用されている。これらの道路を利用する場合、交通量、交通渋滞の有無などの交通情報は極めて重要である。従って、道路の適所には、上部に車両情報を遠隔的に取得するためのレーダセンサが設置されている。
【０００３】
特許文献１，２には、路面の上方のガントリに設置されたレーダセンサから斜め下方に向けて所定の指向幅を有する電波信号（レーダ信号）を周期的に送信し、走行中の車両で反射した反射信号を受信して車両を検知する装置が記載されている。車両の検知は、車両の各部からの反射信号を受信する一方、レーダ信号の指向幅や受信信号間の距離等からグループ化処理を施して、車両を特定するようにしている。
【先行技術文献】
【特許文献】
【０００４】
【特許文献１】特開２０１２−１９４７８４号公報
【特許文献２】特開２０１５−２６１２７号公報
【発明の概要】
【発明が解決しようとする課題】
【０００５】
ところで、路面の斜め上方から走行方向下流側に所定の探知幅を有するレーダ信号を放射すると、探知幅に対応して走行方向に探知領域が設定される。そして、車両が主に大型トラックのような大型車両の場合、レーダセンサの下を通過した間近（探知領域内の上流側域）では、大型車両の複数部位からの反射信号をグループ化処理すると１台に認識可能である一方、さらに下流側（探知領域内の下流側域）に進行した時点では、大型トラックの複数部位からの反射信号をグループ化処理すると前後の２台に認識される（いわゆる、オブジェクト割れ）という現象が生じる場合（傾向）がある。すなわち、１台の大型車両を、オブジェクト割れした状態で２台とカウントしてしまうと、車両台数が誤計数されることになって好ましくない。
【０００６】
本発明は、一側面では、このような実情を鑑みてなされたものであり、大型車両に対しても誤計数が防止される車両計数技術を提供することである。
【課題を解決するための手段】
【０００７】
本発明は、上述した課題を解決するために、以下の構成を採用する。
【０００８】
すなわち、一側面に係る車両計数装置は、走行方向の所定幅の探知領域に向けて斜め上方から周期的に電波信号を送信し、前記探知領域を走行中の車両からの反射信号を受信するレーダセンサ部と、受信した前記反射信号から車両信号を特定する車両特定部と、前記特定された車両信号の走行状態を周期毎に追跡する追跡部と、前記探知領域内に設定された計数域にて前記車両信号の数を計数する計数部とを備え、前記計数部は、前記計数域での計数対象の前記車両信号のうち、走行距離が前記探知領域に比して短いと判定された車両信号に対する計数を禁止するものである。
【０００９】
一側面に係る車両計数方法は、走行方向の所定幅の探知領域に向けて斜め上方から周期的に電波信号を送信し、前記探知領域を走行中の車両からの反射信号を受信するレーダセンサ部から前記反射信号を取得して車両の計測を行う車両計数方法において、受信した前記反射信号から車両信号を特定する車両特定ステップと、前記特定された車両信号の走行状態を周期毎に追跡する追跡ステップと、前記探知領域内に設定された計数域にて前記車両信号の数を計数する計数ステップとを備え、前記計数ステップは、前記計数域での計数対象の前記車両信号のうち、走行距離が前記探知領域に比して短いと判定された車両信号に対する計数を禁止するものである。
【００１０】
一側面に係る車両計数プログラムは、走行方向の所定幅の探知領域に向けて斜め上方から周期的に電波信号を送信し、前記探知領域を走行中の車両からの反射信号を受信するレーダセンサ部から前記反射信号を取得して、プロセッサにより車両の計測を行う車両計数プログラムにおいて、受信した前記反射信号から車両信号を特定する車両特定ステップ、前記特定された車両信号の走行状態を周期毎に追跡する追跡ステップ、及び、前記探知領域内に設定された計数域にて前記車両信号の数を計数する計数ステップ、を前記プロセッサに実行させ、前記計数ステップは、前記計数域での計数対象の前記車両信号のうち、走行距離が前記探知領域に比して短いと判定された車両信号に対する計数を禁止するものである。
【００１１】
前記構成によれば、計数域での計数対象の車両信号のうち、走行距離が前記探知領域に比して短いと判定された車両信号に対する計数が禁止される。従って、いわゆるブロック割れによって生じた偽車両信号に対する誤計数が防止される。なお、上記計数の禁止は、計数の時点で行われる態様の他、一旦計数した後の探知領域での追跡内容に基づいて事後的に偽車両信号の分を差し引く等して誤計数の発生を結果的に禁止する態様でもよい。
【００１２】
前記一側面に係る車両計数装置は、前記レーダセンサ部は、前記探知領域に向けて前記走行方向の上流側の斜め上方から電波信号を送信するもので、前記計数部は、前記車両信号の最初の特定が前記探知領域内の走行方向下流側で行われた場合、当該車両信号の計数を禁止するようにしてもよい。この構成によれば、下流側に車両が走行する場合に、車両信号の最初の特定が前記探知領域内の走行方向下流側で行われた場合、走行距離が前記探知領域に比して短いと判定されて、当該車両信号の計数が禁止される。
【００１３】
前記一側面に係る車両計数装置は、前記追跡部は、周期毎に追跡した共通の車両信号に同一のラベルを付すものとしてもよい。この構成によれば、車両の追記処理が確実に行われる。
【００１４】
前記一側面に係る車両計数装置は、前記追跡部は、前記各車両信号に対し、最初に特定された際の初回特定位置に関する情報を対応して取得し、前記計数部は、前記車両信号に対応して取得された前記初回特定位置が前記探知領域内の走行方向の下流側の場合に前記計数を禁止するようにしてもよい。この構成によれば、初回特定位置に関する情報を参照することで、当該車両信号の誤計数が防止される。
【００１５】
前記一側面に係る車両計数装置は、前記追跡部は、前記各車両信号に対し、最初に付すラベルを前記探知領域内の走行方向の上流側と下流側とで区別可能な種類とし、前記計数部は、前記車両信号に最初に付されたラベルの種類が前記下流側の場合に前記計数を禁止するようにしてもよい。この構成によれば、ラベルの種類を参照することで偽車両信号の誤計数が防止される。
【００１６】
前記一側面に係る車両計数装置は、前記追跡部は、周期毎に前記共通のラベルが付された各車両信号に対し、車両信号毎にラベリング回数を蓄積し、前記計数部は、前記車両信号に対応した前記ラベリング回数が閾値以下の場合に計数を禁止するようにしてもよい。この構成によれば、ラベリング回数を参照することで偽車両信号の誤計数が防止される。
【００１７】
前記一側面に係る車両計数装置は、前記追跡部は、周期毎に連続して特定された車両信号同士の位置情報に基づいてマッチング処理を施してもよい。この構成によれば、車両信号の追跡処理が容易に実行できる。
【発明の効果】
【００１８】
本発明によれば、いわゆるブロック割れを生じた偽車両に対する誤計数が防止できる。
【図面の簡単な説明】
【００１９】
【図１】図１は、実施の形態に係る車両計数装置が適用される一例を示す概略説明図である。
【図２】図２は、図１に示す車両計数装置の探知領域の一例を説明する平面図である。
【図３】図３は、実施の形態に係る車両計数装置のハードウェア構成の一例を示す図である。
【図４】図４は、物標位置とグループ化処理の関係の一例を説明する概略平面図である。
【図５】図５は、実施の形態に係る車両計数の処理手順の一例を示すフローチャートである。
【発明を実施するための形態】
【００２０】
以下、本発明の一側面に係る実施の形態（以下、「本実施形態」と表記する）を、図面に基づいて説明する。ただし、以下で説明する本実施形態は、あらゆる点において本発明の例示に過ぎない。本発明の範囲を逸脱することなく種々の改良や変形を行うことができることは言うまでもない。つまり、本発明の実施にあたって、実施形態に応じた具体的構成が適宜採用されてもよい。なお、本実施形態において登場するデータを自然言語により説明しているが、より具体的には、コンピュータが認識可能な疑似言語、コマンド、パラメータ、マシン語等で指定される。
【００２１】
＜適用例＞
図１は、実施の形態に係る車両計数装置が適用される一例を示す概略説明図である。図２は、図１に示す車両計数装置の探知領域の一例を説明する平面図である。
【００２２】
図１の例示では、道路は２車線の車線３１で形成されている。各車線３１には、例えば車両４１，５１が下流側（図１の左方）に向いて走行している。ここでは、車両４１は大型トラック等の大型車両であり、車両５１は普通乗用車である。路側には、支柱３２が立設され、所定高さでガントリ３２１が車線３１側に延設されている。ガントリ３２１の適所、例えば両車線３１の中間位置上には、電波信号を送受信するレーダセンサ部１０が設置されている。
【００２３】
支柱３２の適所には、レーダセンサ部１０の動作を制御すると共に探知信号を取り込む制御ユニット２０が設置されている。本実施の形態に係る車両計数装置１は、レーダセンサ部１０と制御ユニット２０とを備えている。制御ユニット２０は、支柱３２に設置される他、図外の交通管理センサ等に配置され、レーダセンサ部１０との間で有線又は無線で通信する形態でもよい。
【００２４】
レーダセンサ部１０は、所定の指向幅を有する電波信号１００が走査されて送信及び受信が行われる。電波信号１００は指向幅θに対して所定の周期、例えば数Ｈｚ〜数十Ｈｚ程度で送信が繰り返される。この例では、電波信号１００はマイクロ〜ミリ波の波長を有するもので、水平方向にｄθ、垂直方向に所定の角度を有するビームである。レーダセンサ部１０は、かかる電波信号１００を走行方向下流側に向けて斜め下方に走査しつつ放射することで、両車線３１を含み、かつ走行方向の探知開始位置Ｄｓから探知終了位置Ｄｅの間を探知領域Ｚｄとする。図１、図２において、探知開始位置Ｄｓの位置はレーダセンサ部１０から例えば１０ｍ程度であり、探知領域Ｚｄ幅は例えば５０ｍ程度としてよい。探知終了位置Ｄｅは探知車両の台数を計数する車両計数域Ｃａ（カウントエリア）に対応してよい。
【００２５】
車両４１，５１は、上流側から探知開始位置Ｄｓを通過して探知領域Ｚｄに進入すると、反射した反射信号がレーダセンサ部１０で受信される。車両４１，５１は、探知領域Ｚｄの下流端の車両計数域Ｃａを通過する際に、後述するように制御ユニット２０で計数される。
【００２６】
＜ハードウェア構成図＞
図３は、実施の形態に係る車両計数装置のハードウェア構成の一例を示す図である。レーダセンサ部１０は、図１、図２に示す電波信号１００を送信し、車両からの反射信号を受信するレーダアンテナ１１を備えると共に、送信トリガを所定周期で生成し、レーダアンテナ１１に出力する電波信号送信器１２、受信信号をデジタル信号に変換するＡ／Ｄ回路１４を備えている。なお、電波信号１００は、物標までの距離を計測するべく、所定幅を有するパルス信号とされている。なお、物標までの距離は、路面上に投影換算した数値を利用してもよい。
【００２７】
制御ユニット２０は、ＣＰＵ（Central Processing Unit）、主メモリであるＲＡＭ（Random Access Memory）、車両計数プログラムや動作制御プログラム、必要なデータ等を記憶するＲＯＭ（Read Only Memory）等を含み、情報処理に応じて各構成要素の制御を行う。記憶部２００は、前記ＲＡＭ、ＲＯＭを含むものである。車両計数プログラムを制御ユニット２０に送信してインストールすることで、車両計数処理が実行される。
【００２８】
制御ユニット２０は、送信制御部２１、物標計測部２２、車両特定部２３、追跡部２４、及び車両計数部２５を備えている。
【００２９】
送信制御部２１は、所定の周期毎に送信トリガを生成し、電波信号送信器１２に出力する。なお、電波の送信は、角度ｄθ分ずつ走査しながら行われる。全体の指向幅θは、例えば１走査分の指向幅の１〜数倍が設定可能である。なお、周期とは指向幅θ分の送信に要する時間をいう。
【００３０】
物標計測部２２は、Ａ／Ｄ回路１４から出力されるデジタル信号から所定レベル以上の信号を物標信号として検出すると共に、電波の送信時から物標で反射して帰来し、受信された時点までの電波伝搬時間から換算して物標までの距離の計測を行う。物標計測部２２は、距離と走査方向の角度の情報から、物標の位置が計測される。計測情報は、角度ｄθ毎に記憶部２００に蓄積されることで、１周期分ずつの検知情報が得られる。電波信号１００は、主にレーダアンテナ１１と対面する車両の表面各部位から反射し、従って１回の受信毎に距離方向に複数の信号が受信される。図２において、大型の車両４１は、例えば物標信号４１１１，４１１２のように複数の信号で検出され、普通乗用車である車両５１も同様に複数の物標信号５１１のように、１個又は複数の信号で検出される。
【００３１】
車両特定部２３は、物標計測部２２で計測された１個又は複数の物標信号から１台の車両信号として特定する処理（グループ化処理）を行う。例えば、図２の例では、２個の物標信号４１１１，４１１２から１台の車両信号４１１が特定される。車両特定部２３におけるグループ化処理は、隣接の走査角度範囲内で、かつ距離、必要な場合には（ドップラー成分から換算される）走行速度等を含めて、それらの差分が所定範囲内に含まれる複数の物標信号を周知の方法で単一の車両信号と判定して１つのグループにグループ化することをいう。なお、本実施形態において、物標計測部２２と車両特定部２３とで車両特定部を構成してもよい。
【００３２】
ところで、大型の車両４１の場合、探知領域Ｚｄ内の下流側（図２の下流側Ｚｂ）において、前述したような、いわゆるブロック割れ現象が生じる。ここで、ブロック割れ現象について、図４を参照して説明する。
【００３３】
図４は、物標位置とグループ化処理の関係の一例を説明する概略平面図である。図中の矢印は走行方向を示している。図４（Ａ）は、大型の車両４１が探知領域Ｚｄ内の上流側を走行している場合、図４（Ｂ）は、同じ車両４１が探知領域Ｚｄ内の下流側Ｚｂを走行している場合を示している。下流側Ｚｂは、ブロック割れ現象が生じ易い領域として設定している。
【００３４】
図４（Ａ）において、複数の物標信号４１１１が検知されている。これら複数の物標信号４１１１は、それぞれの差分が所定範囲内にあり、１つの車両信号４１１として特定されている。一方、図４（Ｂ）において、複数の物標信号４１１１，…，４１１２，…が検知されている。これらの複数の物標信号４１１１，…，４１１２，…の内、物標信号４１１１，…と物標信号４１１２，…とは、例えば、走行方向において所定の距離だけ離間していることから、グループ化処理において、本来は１台であるにも拘わらず、２台の車両信号４１１，４１２として特定されている。図４中、車両信号の数は車両計数域Ｃａで計数されるため、図４（Ｂ）のようにブロック割れしたままでは、車両台数は誤計数される。
【００３５】
追跡部２４は、ブロック割れ現象によって発生した偽車両信号の台数計数を禁止するためのトラッキング処理を行うものである。追跡部２４による、偽車両信号の数の計数を禁止するためのトラッキング方法は種々の態様が考えられる。ここでは、その一例を説明し、他の方法は後述する。
【００３６】
追跡部２４は、１周期の送受信で検知された車両信号の情報を記憶部２００に一時的に記憶し、例えば連続して特定された車両信号間の位置を比較、すなわちマッチング処理することで、共通の車両信号の特定を行う。車両信号の共通化は、例えば、送信周期、指向幅、また平均的な走行速度等を考慮して、距離方向、角度方向の差分が追跡処理のための所定範囲内に含まれるか否かで判定される。なお、走行速度は、例えば前回及び前々回の追跡処理から取得可能である。共通の車両信号と判定された車両信号は、例えば既に特定されている車両信号に付されているラベルと同一のラベルが付され、受信周期毎に更新されながら逐次記憶部２００に更新記憶される。
【００３７】
従って、図４（Ａ）のように、通常の車両信号４１１は、探知処理の開始付近（探知領域Ｚｄ内の少なくとも上流側）で最初のラベリングが行われる。また、図４（Ｂ）のように、偽車両信号４１２が生成された場合、当該偽車両信号４１２には、途中で新たなラベルが付される。ラベルは、初回のラベリング時の位置情報を対応付けて記憶部２００に更新記憶される。これにより、ラベルが、どの時点から、すなわち探知領域Ｚｄ内の上流側からか、下流側Ｚｂから検知されたものかが識別可能となる。
【００３８】
車両計数部２５は、車両計数域Ｃａを通過する車両信号が検知されると、計数値が１だけインクリメントする。車両計数部２５は、計数対象の車両信号に対してそのラベル情報とラベルが付された時点の情報とから、偽車両信号か否かを判定し、偽車両信号と判定した場合には、計数動作を禁止（パス）する。これにより、いわゆるブロック割れで生じた偽車両信号が計数されないため、正しい交通量が得られる。
【００３９】
＜動作例＞
図５は、実施の形態に係る車両計数の処理手順の一例を示すフローチャートである。まず、送信タイミングか否かが判断され（ステップＳ１）、送信タイミングであれは、受信動作が開始され、受信された反射信号から各物標信号の位置（距離、角度）が計測される（ステップＳ３）。次いで、車両特定部２３によるグループ化処理によって各物標信号に対して車両特定処理が実行される（ステップＳ５）。そして、前回特定された車両信号との照合によって今回の車両信号のトラッキング処理が実行され、共通の車両信号と判定された車両信号に対して同一のラベルの付与が行われる（ステップＳ７）。これによって追跡処理が行われる。
【００４０】
続いて、車両計数域Ｃａに到達し、乃至通過する車両信号の有無が判断され（ステップＳ９）、否定される場合には、本フローがスルーされる。一方、首肯される場合、当該車両信号が最初に特定された時点が上流側かどうかが、または付されたラベルに対応する初回特定情報が読み出されて、探知領域Ｚｄの上流側か否かが判定される（ステップＳ１１）。判定が首肯された場合、当該車両信号に対して台数の計数処理が実行され、所定の管理処理が行われる（ステップＳ１３）。一方、判定が否定された場合、当該車両信号に対する計数動作は禁止される（ステップＳ１５）。
【００４１】
＜作用・効果＞
以上の実施形態では、探知領域Ｚｄ内の下流側Ｚｂでブロック割れ現象が発生しても、偽車両信号に対する誤計数が防止される。なお、ブロック割れ現象によって偽車両信号が一時的に出現しても、車両計数域Ｃａに到達し乃至通過するまでの間に消滅した場合には、誤計数は行われることはない。
【００４２】
＜変形例＞
前記実施の形態では、偽車両信号を探知領域に対して走行距離が短いものと扱ったが、走行距離は、距離情報そのものの他、ブロック割れが発生した時点乃至位置に関連する情報、またはブロック割れが終了した時点乃至位置に関連する情報を等価的に作成し、利用する態様でもよい。
【００４３】
前記実施の形態では、下流側走行車線での探知において、偽車両信号を探知領域Ｚｄに比して短い走行距離を有するものとして、かかる走行距離の長短を、各車両信号について、最初に特定された際の初回特定位置に関する情報を利用したが、その他の態様として下記（１）、（２）も採用可能である。
【００４４】
（１）例えば、各車両信号に対し、最初に付すラベルを探知領域Ｚｄ内の走行方向の上流側と下流側Ｚｂとで区別可能な種類とし、車両計数部２５が、車両信号を計数する時点で、車両信号に付されたラベルの種類によって計数と計数禁止とを判断するようにしてもよい。識別可能なラベルとは、単にａ系列、ｂ系列という形態でもよい。これによれば、ｂ系列のラベルが付された車両信号は偽車両信号として扱うことができる。また、最初に特定された初回特定位置に代えて、初回の検知位置情報そのものを利用してもよい。
【００４５】
（２）また、他の態様として、周期毎に共通のラベルが付された各車両信号に対し、車両信号毎にラベリング回数を蓄積し、車両計数部２５が、車両信号の数を計数する時点で、車両信号に対応したラベリング回数が閾値以下の場合、計数を禁止するようにしてもよい。ラベリング回数が閾値以下の場合には、探知領域Ｚｄ内の下流側Ｚｂで検知が開始されたと判断することができ、かかる車両は偽車両信号として扱うことができる。なお、ラベリング回数に代えて車両の特定回数を利用してもよい。
【００４６】
また、前記実施の形態では、車両計数域Ｃａを探知領域Ｚｄの下流端に設置したが、その他、ブロック割れ現象が発生する虞のある適宜の位置に設置するようにしてもよい。この場合、すなわち、車両信号が車両計数域Ｃａを通過する時点で偽車両信号と判明している場合には、当該時点で計数を禁止し、一方、車両計数域Ｃａを通過した後の追跡の結果、偽車両信号と判明した場合には、例えば判明時点でその分を差し引いて、結果的に当該偽車両信号の計数を禁止するようにすればよい。
【００４７】
さらに、前記実施の形態では、電波信号１００を走行方向の下流側に向けて斜め放射したが、逆に走行方向の上流側に向けて斜めに放射して車両監視を行う態様としてもよい。いわゆるブロック割れ現象は、車両が下流に走行する場合の他、上流側に向かってくる場合にも発生することが確認できている。この態様では、探知領域の遠方側から上流に向かって車両が近づいて来る場合に、探知領域の遠方側で偽車両信号が発生しており、近傍側で偽車両信号の多くは消滅することになる。従って、偽車両信号が存在する位置辺りに対応させて車両計数域Ｃａを設定し、車両計数域Ｃａを通過した車両信号のうち、追跡の結果、探知領域内で消滅した、すなわち偽車両信号であった分を差し引くようにすればよい。
【００４８】
さらに、この発明に係る構成と上述した実施形態に係る構成との対応関係は、以下の付記のように記載できる。
【００４９】
＜付記＞
走行方向の所定幅の探知領域に向けて斜め上方から周期的に電波信号を送信し、前記探知領域を走行中の車両からの反射信号を受信するレーダセンサ部（１０）と、
受信した前記反射信号から車両信号を特定する車両特定部（２２，２３）と、
前記特定された車両信号の走行状態を周期毎に追跡する追跡部（２４）と、
前記探知領域内に設定された計数域にて前記車両信号の数を計数する計数部（２５）とを備え、
前記計数部（２５）は、前記計数域での計数対象の前記車両信号のうち、走行距離が前記探知領域に比して短いと判定された車両信号に対する計数を禁止する車両計数装置（１）。
【符号の説明】
【００５０】
１  車両計数装置
１０  レーザセンサ部
２０  制御ユニット
２００  記憶部
２２  物標計測部（車両特定部）
２３  車両特定部（車両特定部）
２４  追跡部
２５  車両計数部（計数部）
Ｚｄ  探知領域
Ｚｂ  下流側
Ｃａ  車両計数域
【図１】
2019159648.tif 000003
【図２】
2019159648.tif 000004
【図３】
2019159648.tif 000005
【図４】
2019159648.tif 000006
【図５】
2019159648.tif 000007